(57)【特許請求の範囲】
【請求項１】
被検体によって経験される環境光の暴露量を決定するように構成される光感知システムであって、当該システムは：
前記被検体によって装着される第１デバイスによって保持される一次光センサであって、当該一次光センサは、該一次光センサが暴露される環境光の量に関連する一次光暴露情報を伝達する出力信号を生成するように構成される、一次光センサと；
第２デバイスによって保持される二次光センサであって、前記第２デバイスは、前記第１デバイスとは物理的に別個であって接続されておらず、前記被検体に関連付けられており、当該二次光センサは、該二次光センサが暴露される環境光の量に関連する二次光暴露情報を伝達する出力信号を生成するように構成される、二次光センサと；
所与の時間についての前記一次光暴露情報が、前記一次光センサは閾値量の環境光へ暴露されていることを示す場合、前記所与の時間について前記被検体によって経験される前記環境光の暴露量を、前記一次光暴露情報に基づいて決定し、
前記所与の時間についての前記一次光暴露情報が、前記一次光センサは閾値量の環境光へ暴露されていないことを示す場合、前記所与の時間について前記被検体によって経験される前記環境光の暴露量を、前記二次光暴露情報に基づいて決定し、
前記所与の時間についての前記一次光暴露情報が、前記一次光センサは閾値量の環境光へ暴露されていないことを示し、かつ前記所与の時間についての前記二次光暴露情報が、前記二次光センサは閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定する、
ようにコンピュータ読取可能命令によって構成される、１つ以上の物理的なコンピュータプロセッサと；
を備える、システム。
【請求項２】
前記一次光センサは、前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上に含まれる、
請求項１に記載のシステム。
【請求項３】
前記二次光センサは、前記被検体に関連付けられるスマートフォンに含まれる、
請求項１に記載のシステム。
【請求項４】
前記１つ以上の物理的なコンピュータプロセッサは、前記一次、二次及び三次光暴露情報が、照度、前記環境光のスペクトル、前記環境光の強さ、日付、時刻又は前記被検体の地理的位置のうちの１つ以上を含むように構成される、
請求項１に記載のシステム。
【請求項５】
１人以上のユーザからの光暴露情報を格納するように構成される光暴露情報データベースを更に備え、
前記１つ以上の物理的なコンピュータプロセッサは、
前記所与の時間についての前記一次光暴露情報が、前記一次光センサは閾値量の環境光へ暴露されていないことを示し、前記所与の時間についての前記二次光暴露情報が、前記二次光センサは閾値量の環境光へ暴露されていないことを示し、かつ前記異なるユーザに関連付けられるデバイス内に含まれる光センサから前記三次光暴露情報が取得されない場合、前記一次及び／又は二次光暴露情報内の日付、時刻又は地理的位置のうちの１つ以上に対応する光暴露情報を前記データベースから取得し、
前記被検体によって経験される前記環境光の暴露量を、データベースの光暴露情報に基づいて決定する、
ように構成される、
請求項４に記載のシステム。
【請求項６】
前記１つ以上の物理的なコンピュータプロセッサは、
前記一次及び／又は二次光暴露情報内の日付、時刻又は地理的位置のうちの１つ以上に対応する前記三次光暴露情報を三次光センサから取得し、該三次光センサは、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
ように構成される、
請求項４に記載のシステム。
【請求項７】
光感知システムを用いて、被検体によって経験される環境光の暴露量を決定する方法であって、前記システムは、一次光センサ、二次光センサ及び１つ以上の物理的なコンピュータプロセッサを備え、当該方法は：
前記被検体によって装着される第１デバイスにより前記一次光センサを保持するステップと；
前記一次光センサにより、前記一次光センサが暴露される環境光の量に関連する一次光暴露情報を伝達する出力信号を生成するステップと；
第２デバイスにより前記二次光センサを保持するステップであって、前記第２デバイスは、前記第１デバイスとは物理的に別個であって接続されておらず、前記被検体に関連付けられている、ステップと；
前記二次光センサにより、該二次光センサが暴露される環境光の量に関連する二次光暴露情報を伝達する出力信号を生成するステップと；
所与の時間についての前記一次光暴露情報が、前記一次光センサは閾値量の環境光へ暴露されていることを示す場合、前記所与の時間について前記被検体によって経験される前記環境光の暴露量を、前記一次光暴露情報に基づいて決定するステップと；
前記所与の時間についての前記一次光暴露情報が、前記一次光センサは閾値量の環境光へ暴露されていないことを示す場合、前記所与の時間について前記被検体によって経験される前記環境光の暴露量を、前記二次光暴露情報に基づいて決定するステップと；
前記所与の時間についての前記一次光暴露情報が、前記一次光センサは閾値量の環境光へ暴露されていないことを示し、かつ前記所与の時間についての前記二次光暴露情報が、前記二次光センサは閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定するステップと；
を備える、方法。
【請求項８】
前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上において前記一次光センサを保持するステップ、
を更に備える、請求項７に記載の方法。
【請求項９】
前記二次光センサを、前記被検体に関連付けられるスマートフォンに含めるステップ、
を更に備える、請求項７に記載の方法。
【請求項１０】
前記一次、二次及び三次光暴露情報が、照度、前記環境光のスペクトル、前記環境光の強さ、日付、時刻又は前記被検体の地理的位置のうちの１つ以上を含む、
請求項７に記載の方法。
【請求項１１】
前記システムは、１人以上のユーザからの光暴露情報を格納するように構成される光暴露情報データベースを更に備え、当該方法は：
前記所与の時間についての前記一次光暴露情報が、前記一次光センサは閾値量の環境光へ暴露されていないことを示し、前記所与の時間についての前記二次光暴露情報が、前記二次光センサは閾値量の環境光へ暴露されていないことを示し、かつ前記異なるユーザに関連付けられるデバイス内に含まれる光センサから前記三次光暴露情報が取得されない場合、前記一次及び／又は二次光暴露情報内の日付、時刻又は地理的位置のうちの１つ以上に対応する光暴露情報を前記データベースから取得するステップと；
前記被検体によって経験される前記環境光の暴露量を、データベースの光暴露情報に基づいて決定するステップと；
を更に備える、請求項１０に記載の方法。
【請求項１２】
前記一次及び／又は二次光暴露情報内の日付、時刻又は地理的位置のうちの１つ以上に対応する閾値量の前記三次光暴露情報を三次光センサから取得し、前記三次光センサは、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
請求項１０に記載の方法。
【請求項１３】
被検体によって経験される環境光の暴露量を決定するように構成される光感知システムであって、当該システムは：
前記被検体によって装着される第１デバイスによって保持される一次手段であって、当該一次手段が暴露される環境光の量に関連する一次光暴露情報を伝達する出力信号を生成するための一次手段と；
第２デバイスによって保持される二次手段であって、前記第２デバイスは、前記第１デバイスとは物理的に別個であって接続されておらず、前記被検体に関連付けられており、当該二次手段が暴露される環境光の量に関連する二次光暴露情報を伝達する出力信号を生成するための二次手段と；
所与の時間についての前記一次光暴露情報が、前記一次手段は閾値量の環境光へ暴露されていることを示す場合、前記所与の時間について前記被検体によって経験される前記環境光の暴露量を、前記一次光暴露情報に基づいて決定するための手段と；
前記所与の時間についての前記一次光暴露情報が、前記一次手段は閾値量の環境光へ暴露されていないことを示す場合、前記所与の時間について前記被検体によって経験される前記環境光の暴露量を、前記二次光暴露情報に基づいて決定するための手段と；
前記所与の時間についての前記一次光暴露情報が、前記一次手段は閾値量の環境光へ暴露されていないことを示し、かつ前記所与の時間についての前記二次光暴露情報が、前記二次手段は閾値量の環境光へ暴露されていないことを示す場合、前記所与の時間について前記被検体によって経験される前記環境光の暴露量を、異なるユーザに関連付けられるデバイス内に含まれる光センサから取得される三次光暴露情報に基づいて決定するための手段と；
を備える、システム。
【請求項１４】
前記一次光暴露情報を伝達する出力信号を生成するための一次手段は、前記被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上に含まれる、
請求項１３に記載のシステム。
【請求項１５】
前記二次光暴露情報を伝達する出力信号を生成するための二次手段は、前記被検体に関連付けられるスマートフォンに含まれる、
請求項１３に記載のシステム。
【請求項１６】
前記一次、二次及び三次光暴露情報は、照度、前記環境光のスペクトル、前記環境光の強さ、日付、時刻又は前記被検体の地理的位置のうちの１つ以上を含む、
請求項１３に記載のシステム。
【請求項１７】
１人以上のユーザからの光暴露情報を格納するための格納手段と；
前記所与の時間についての前記一次光暴露情報が、前記一次手段は閾値量の環境光へ暴露されていないことを示し、前記所与の時間についての前記二次光暴露情報が、前記二次手段は閾値量の環境光へ暴露されていないことを示し、かつ前記異なるユーザに関連付けられるデバイス内に含まれる光センサから前記三次光暴露情報が取得されない場合、前記一次及び／又は二次光暴露情報内の日付、時刻又は地理的位置のうちの１つ以上に対応する光暴露情報を前記格納手段から取得するための手段と；
を更に備え、前記被検体によって経験される前記環境光の暴露量を、前記格納手段の光暴露情報に基づいて決定する、
請求項１６に記載のシステム。
【請求項１８】
前記一次及び／又は二次光暴露情報内の日付、時刻又は地理的位置のうちの１つ以上に対応する閾値量の前記三次光暴露情報を三次手段から取得するための手段を更に備え、前記三次手段は、前記被検体ではない別のユーザによって装着されるか、かつ／又は別のユーザに関連付けられる第３のデバイスによって保持され、
前記被検体によって経験される前記環境光の暴露量を、前記三次光暴露情報に基づいて決定する、
請求項１６に記載のシステム。
【発明の詳細な説明】
【技術分野】
【０００１】
本開示は、被検体によって経験される環境光の暴露量（amount  of  ambient  light  exposure）を決定するように構成される光感知システムに関する。
【背景技術】
【０００２】
手首装着型のアクティグラフデバイスのようなウェアラブル光感知デバイスが知られている。これらのデバイスは、環境光レベルを評価するために頻繁に使用される。典型的に、これらのデバイスは、衣服（例えば袖）によって容易に覆われ、これにより、光の測定値を人間の日周期の推定のような事後処理にとって不確かなものにする。
【先行技術文献】
【特許文献】
【０００３】
【特許文献１】米国仮特許出願第61/739,805号明細書
【発明の概要】
【０００４】
したがって、本開示の一態様は、被検体によって経験される環境光の暴露量を決定するように構成される光感知システムに関する。このシステムは、一次光センサ（primary  light  sensor）、二次光センサ（secondary  light  sensor）、１つ以上の物理的なコンピュータプロセッサ及び／又は他のコンポーネントを備える。一次光センサは、被検体によって装着される第１のデバイスによって保持される。一次光センサは、当該一次光センサが暴露される環境光の量に関連する一次光暴露情報を伝達する出力信号を生成するように構成される。二次光センサは、第２のデバイスによって保持される。第２のデバイスは、第１のデバイスとは物理的に別個であって、接続されていない。二次光センサは被検体に関連付けられる。二次光センサは、該二次光センサが暴露される環境光の量に関連する二次光暴露情報を伝達する出力信号を生成するように構成される。１つ以上の物理的なコンピュータプロセッサは、所与の時間についての一次光暴露情報（primary  light  exposure  information）が、一次光センサは相当な環境光（substantial  ambient  light）に暴露されていることを示す場合、所与の時間について被検体によって経験される環境光の暴露量を一次光暴露情報に基づいて決定し；所与の時間についての一次光暴露情報が、一次光センサは相当な環境光へ暴露されていないことを示す場合、所与の時間について被検体によって経験される環境光の暴露量を二次光暴露情報に基づいて決定する；ようにコンピュータ読取可能命令によって構成される。
【０００５】
本開示の別の態様は、光感知システムを用いて、被検体によって経験される環境光の暴露量を決定する方法に関する。システムは、一次光センサ、二次光センサ、１つ以上の物理的なコンピュータプロセッサ及び／又は他のコンポーネントを備える。方法は：被検体によって装着される第１のデバイスにより一次光センサを保持するステップと；一次光センサにより、該一次光センサが暴露される環境光の量に関連する一次光暴露情報を伝達する出力信号を生成するステップと；  第２のデバイスにより二次光センサを保持するステップであって、第２のデバイスが、第１のデバイスとは物理的に別個であって接続されておらず、被検体に関連付けられているステップと；二次光センサにより、該二次光センサが暴露される環境光の量に関連する二次光暴露情報を伝達する出力信号を生成するステップと；所与の時間についての一次光暴露情報が、一次光センサは相当な環境光へ暴露されていることを示す場合、所与の時間について被検体によって経験される環境光の暴露量を、一次光暴露情報に基づいて決定するステップと；所与の時間についての一次光暴露情報が、一次光センサは相当な環境光へ暴露されていないことを示す場合、所与の時間について被検体によって経験される環境光の暴露量を、二次光暴露情報に基づいて決定するステップと；を備える。
【０００６】
本開示の更に別の態様は、被検体によって経験される環境光の暴露量を決定するように構成される光感知システムに関する。当該システムは：被検体によって装着される第１のデバイスによって保持される一次手段であって、当該一次手段が暴露される環境光の量に関連する一次光暴露情報を伝達する出力信号を生成するための一次手段と；第２のデバイスによって保持される二次手段であって、第２のデバイスは、第１のデバイスとは物理的に別個であって接続されておらず、被検体に関連付けられており、当該二次手段が暴露される環境光の量に関連する二次光暴露情報を伝達する出力信号を生成するための二次手段と；所与の時間についての一次光暴露情報が、一次手段は相当な環境光へ暴露されていることを示す場合、所与の時間について被検体によって経験される環境光の暴露量を、一次光暴露情報に基づいて決定するための手段と；所与の時間についての一次光暴露情報が、一次手段は相当な環境光へ暴露されていないことを示す場合、所与の時間について被検体によって経験される環境光の暴露量を、二次光暴露情報に基づいて決定するための手段と；を備える。  
本開示のこれら及び他の目的、特徴及び特性、並びに構造の関連する要素の動作及び機能の方法、製造の部分及び経済性の組合せは、以下の説明及び特許請求の範囲を添付の図面とともに考慮すると、より明らかになるであろう。図面は全て、本明細書の一部を形成し、同様の参照番号は様々な図面内の対応する部分を示す。しかしながら、図面は、単に例示及び説明の目的であり、本開示の限定の定義として意図されていないことは明確に理解されよう。
【図面の簡単な説明】
【０００７】
【図１】被検体によって経験される環境光の暴露量を決定するように構成される光感知システムを示す図である。
【０００８】
【図２】システムの１つの可能性のある実施形態を示す図である。
【０００９】
【図３】システムを説明するフローチャートである。
【００１０】
【図４−Ｉ】システムを説明する第２のフローチャートである。
【図４−ＩＩ】システムを説明する第２のフローチャートである。
【００１１】
【図５】光感知システムを用いて、被検体によって経験される環境光の暴露量を決定する方法を示す図である。
【発明を実施するための形態】
【００１２】
本明細書で使用されるとき、「a」、「an」及び「the」という単数形は、文脈がそうでないことを明示していない限り、複数の参照を含む。本明細書で使用されるとき、２つ以上の部分又は構成要素が「結合（couple）される」いう記載は、リンクが生じる限りにおいて、これらの部分が直接又は間接的に、すなわち１つ以上の中間部分又は構成要素を通して結ばれるか一緒に動作することを意味するものとする。本明細書で使用されるとき、「直接結合される」とは、２つ以上の要素が相互に直接接触することを意味する。本明細書で使用されるとき、「固定的に結合される」又は「固定される」とは、相互に対して一定の方向を維持しつつ、１つのものとして動くように、２つ以上の要素が結合されることを意味する。
【００１３】
本明細書で使用されるとき、「単一の（unitary）」という用語は、構成要素が単一の部分又はユニットとして作成されることを意味する。すなわち、別個に作成されて、その後１つのユニットとして一緒に結合される複数の部分を含む構成要素は、「単一の」コンポーネント又は物体ではない。本明細書で用いられるとき、２つ以上の部分又はコンポーネントが別のものと「かみ合う（engage）」という記載は、これらの部分が、直接又は１つ以上の中間部分若しくは構成要素を通して、別のものに対して力を加えることを意味する。本明細書で用いられるとき、「数」という用語は、１又は１より大きい整数（すなわち複数）を意味するものとする。
【００１４】
本明細書において使用される方向を示すフレーズ、例えばこれらには限られないが、上、下、左、右、上方、下方、正面、背面及びこれらの派生語は、図面に示される要素の方向に関連し、明示的に記載されない限り、請求項に対する限定ではない。
【００１５】
図１は、被検体によって経験される環境光の露光量を決定するように構成される光感知システム１０を図示している。システム１０は、被検体によって装着されるデバイス１５によって保持される一次光センサ１４、被検体に関連付けられる第２のデバイス１７によって保持される二次光センサ１６、物理的なコンピュータプロセッサ２０、中央光プロファイルデータベース３０及び／又は他のコンポーネントのうちの１つ以上を含む。
【００１６】
光への暴露（exposure）（光を浴びること）は、太陽光の日照サイクルとの体内時計の適切な同期を可能にする主要な機構である。光暴露のタイミング、期間、強さ、スペクトル組成及び／又は他のパラメータは、２４時間周期のリズムへの人間の同調に対する影響を有する。回復睡眠は、体内時計における特定の時間に起こる。周囲の社会的スケジュールに関連して内部体内時計の位相シフトを持つ特定の人々にとって、所定の時間における明るい光への暴露は、社会的ニーズにより良く整合させるように体内時計を前に及び／又は後ろにシフトさせるために使用され得る。時間調整される及び／又は定期的な明るい光への暴露は、季節性情動障害（冬の憂鬱）にとっても有効な治療である。何日かの間及び／又は何週間もの間にわたって人が暴露される光レベルの評価は、気分及び／又は睡眠障害の診断における重要な手段である。
【００１７】
既存のアクティグラフィデバイスは、衣服（例えば袖）によって容易に覆われることになり、これにより、光測定値を事後処理（例えば人間の日周期の推定等）にとって不確かなものにする。スマートフォンは、環境に対して常には露出されていないが、常にポケット及び／又はバッグ内に収容されており、したがって、モバイルフォンに関連付けられるユーザが暴露されている光レベルを時々キャプチャする。（例えば）人の光暴露の分析及び／又は長期的な光パターンの分析では、環境光の測定値を、可能な限り頻繁に、例えば１分に１、２回、周期的及び／又は繰り返し取得することが望ましい。
【００１８】
システム１０は、被検体によって装着されるデバイス（例えばデバイス１５）によって保持される光センサ、被検体に関連付けられるコンピューティングデバイス（例えばスマートフォン及び／又は他のデバイスとすることができるデバイス１７）内に含まれるセンサ、他のユーザによって装着され、かつ／又は他のユーザに関連付けられるセンサ、特定のユーザに関連付けられておらず、頻繁に訪問される場所に設置される、専用の固定の光測定デバイス及び／又は他のセンサを介して、環境光レベルを感知する。所与の時間についての（一次）光暴露情報が、被検体によって装着されるデバイス１５によって保持される光センサが、相当な環境光へ暴露されていることを示す場合、システム１０は、一次光暴露情報に基づいて、その所与の時間の間に被検体によって経験される環境光の暴露量を決定する。一部の実施形態において、システム１０は、オクルージョンを検出するように構成される近接性センサからの出力信号に基づいて、異常に低い（例えば所与の時刻や地理的位置等で異常に低い）光レベルを示す光センサからの出力信号に基づいて、かつ／又は他の情報に基づいて、所与の光センサが相当な環境光へ暴露されているかどうかを判断する。所与の時間についての一次光暴露情報が、デバイス１５によって保持される光センサは相当な環境光へ暴露されていないと示す場合、システム１０は、被検体に関連付けられるスマートフォン等のデバイスによって保持されるセンサ（例えばセンサ１６）からの（二次）光暴露情報に基づいて、所与の時間の間に被検体によって経験される環境光の暴露量を決定する。所与の時間についての光暴露情報が、被検体に関連付けられるデバイスによって保持される光センサは、相当な環境光へ暴露されていないと示す場合（例えばスマートフォンが誰かのポケットに入っている場合）、システム１０は、他のユーザに関連付けられるセンサ、他のデバイスに関連付けられるセンサ（例えば都市の特定の位置に配置される固定の光センサ）及び／又は他のソースからの光暴露情報に基づいて、所与の時間の間に被検体によって経験される環境光の暴露量を決定する。システム１０は、光センサを保持する単一のデバイスが所与の瞬間に覆われていない場合、その覆われてないデバイスからの環境光暴露情報を使用して、その所与の瞬間にデバイスが覆われている、エリア内の他のユーザによって経験される環境光の暴露量を決定することができる。
【００１９】
システム１０は、光プロファイルデータベース（例えば図１の電子ストレージ３２、中央光プロファイルデータベース３０）を含む。光プロファイルデータベースは、１人以上のユーザによって装着されるか、かつ／又は１人以上のユーザに関連付けられる複数の光センサのうちの１つからの出力信号によって伝達される、時刻、日付、地理的位置及び／又は他の情報とともに、経時的に光暴露データを格納するように構成される。これらの光プロファイルデータベースは、ユーザによって装着される光センサ（例えばセンサ１４）及び／又はユーザに関連付けられる光センサ（例えばセンサ１６）が覆われており、情報を提供することができる他の覆われていない（例えば近くのユーザ及び／又は固定の位置に関連付けられる）光センサが存在しないときはいつでも、所与の位置についての典型的な光暴露情報を取得するためにシステム１０によって使用され得る。光プロファイルデータベースは、ユーザに関連付けられるデバイス（例えばスマートフォン）上に配置されて、単一のユーザについての情報を収集するように構成され得るか（例えば電子ストレージ３２）、かつ／又は複数のユーザからの情報を収集するように構成される中央（例えばサーバ）データベース（例えば中央光プロファイルデータベース３０）であり得る。例えば現在の光暴露情報を取得するために利用可能な（例えば覆われていない）他の光センサがないとき、ローカル及び／又は中央データベースにクエリして、特定の時刻、日付及び／又は位置についての典型的な光プロファイルデータを取得することができる。
【００２０】
デバイス１５は、被検体によって装着されるように構成される。デバイス１５は、このデバイス１５が装着されている間に環境光へ暴露されるよう、被検体によって装着され得る。デバイス１５は、被検体１２の衣服の外面に配置され、典型的には衣服で覆われないエリア内の被検体１２の身体上に配置され、かつ／又は他のエリア内に配置され得る。一部の実施形態において、デバイス１５は、被検体によって装着されるリストバンド、イヤフォン、識別バッジ、ジュエリー、ボタン、ヘアバンド、ヘアクリップ、眼鏡、ブレスレット、ベルト、付け爪、ピン、ピアス、ネクタイ、クリップ、お守り、時計、ヘッドセット、指輪、スカーフ、ハンドバッグ、携帯電話ポーチ、布製品、コンタクトレンズ及び／又は他のデバイスのうちの１つ以上であるか、これらの１つ以上を含み得る。デバイス１５は一次光センサ１４を保持するように構成される。一次光センサ１４を保持すること（carrying）は、一次光センサ１４と取り外し可能に結合されること、一次光センサ１４を取り囲むこと、囲むこと、包み込むこと、物理的に支持すること、一次光センサ１４にクランプで固定すること、一次光センサ１４にフック止めすること、一次光センサ１４と永続的に結合されること、かつ／又は他の形で一次光センサ１４を保持することを含み得る。一部の実施形態において、デバイス１５は、一次光センサ１４、プロセッサ２０、プロセッサ２０の少なくとも１つのコンポーネント（下述）、及び／又は他のコンポーネントを含み得る。
【００２１】
デバイス１７は、二次光センサ１６を保持するように構成される。デバイス１７は、被検体に関連付けられる。デバイス１７は、デバイス１５と物理的に別個であり、接続されていない。一部の実施形態において、デバイス１７は、クライアントコンピューティングデバイスである。一部の実施形態において、デバイス１７は、被検体に関連付けられるスマートフォンである。一部の実施形態において、デバイス１７は、地理的位置センサ（例えばGPS）、タイマー、クロック及び／又は他のセンサ１９；電子ストレージ３２；ユーザインタフェース４０；及び／又は他のコンポーネントを含む。一部の実施形態において、デバイス１７は、プロセッサ２０、プロセッサ２０の少なくとも１つのコンポーネント（下述）、及び／又は他のコンポーネントを含み得る。
【００２２】
電子ストレージ３２は、情報を電子的に格納する電子記憶媒体を備える。電子ストレージ３２の電子記憶媒体は、デバイス１７に一体的に提供される（すなわち、実質的に取外し不可能な）システムストレージ、及び／又は例えばポート（例えばUSBポート、firewire（登録商標）ポート等）又はドライブ（例えばディスクドライブ等）を介してデバイス１７に取外し可能に接続され得る取外し可能ストレージのうちの一方又は双方を備えることができる。電子ストレージ３２は、光学的に読取可能な記憶媒体（例えば光ディスク等）、磁気的に読取可能な記憶媒体（例えば磁気テープ、磁気ハードドライブ、フロッピードライブ等）、電荷ベースの記憶媒体（例えばEPROM、RAM等）、半導体記憶媒体（例えばフラッシュドライブ等）及び／又は他の電子的に読取可能な記憶媒体のうちの１つ以上を備え得る。電子ストレージ３２は、ソフトウェアアルゴリズム、プロセッサ２０によって決定される情報（例えば所与の時間の光暴露量）及び／又はシステム１０が正しく機能できるようにする他の情報を格納することができる。電子ストレージ３２は（全体又は部分的に）システム１０内の別個のコンポーネントであってよく、あるいは電子ストレージ３２は（全体又は部分的に）システム１０の１つ以上の他のコンポーネント（例えばデバイス１７）と一体的に提供されてもよい。
【００２３】
一部の実施形態において、電子ストレージ３２は、ローカル光プロファイルデータベースであるか、かつ／又はこれを含むことができる。ローカル光プロファイルデータベースは、一次光センサ１４が暴露される環境光の量に関連する一次光暴露情報、二次光センサ１６が暴露される環境光の量に関連する二次光暴露情報、１以上の時間について被検体によって経験される環境光の暴露量及び／又は他の情報を格納するように構成される。
【００２４】
ユーザインタフェース４０は、デバイス１７とユーザとの間のインタフェースを提供するように構成され、このインタフェースを介してユーザは、システム１０へ情報を提供し、システム１０から情報を受け取ることができる。これは、まとめて「情報」と呼ばれる、データ、キュー、結果及び／又は命令及び任意の他の通信アイテムを、ユーザとシステム１０との間で通信することを可能にする。ユーザインタフェース４０に含めるのに適したインタフェースデバイスの例には、タッチスクリーン、キーパッド、タッチセンサ式及び／又は物理的なボタン、スイッチ、キーボード、ノブ、レバー、ディスプレイ、スピーカ、マイクロフォン、インジケータ光、可聴アラーム、プリンタ及び／又は他のインタフェースデバイスが含まれる。一部の実施形態において、ユーザインタフェース４０は複数の別個のユーザインタフェースを備える。一部の実施形態では、ユーザインタフェース４０は、デバイス１７と一体的に提供される少なくとも１つのインタフェースを備える。
【００２５】
理解されるように、ハードワイヤード又は無線の他の通信技術も、本開示によりユーザインタフェース４０として考えられる。例えば本開示は、ユーザインタフェース４０が、デバイス１７によって提供される取外し可能ストレージインタフェースと統合され得ることを考慮する。この例では、情報が、取外し可能ストレージ（例えばスマートカード、フラッシュドライブ、取外し可能ディスク等）からデバイス１７へロードされ、この情報は、ユーザがデバイス１７の実装をカスタマイズすることを可能にする。ユーザインタフェース４０としてデバイス１７とともに使用するために適合される他の例示の入力デバイス及び技術には、これらに限定されないが、RS-232ポート、RFリンク及びIRリンク、モデム（電話、ケーブル又はその他）がある。簡潔に言うと、システム１７に情報を通信するための任意の技術が、本開示ではユーザインタフェース４０として考えられる。
【００２６】
一次光センサ１４は、一次光センサ１４が暴露される環境光の量に関連する一次光暴露情報を伝達する出力信号を生成するように構成される。二次光センサ１６は、その二次光センサ１６が暴露される環境光の量に関連する二次光暴露情報を伝達する出力信号を生成するように構成される。一次及び／又は二次光暴露情報は、照度、環境光のスペクトル、環境光のスペクトルの一部（例えば可視スペクトルの赤、緑及び青の部分）、環境光の強さ、日付、時刻、被検体の地理的位置、被検体が屋内及び／又は屋外にいるかどうかの指示、（例えば電子コンパスからの）向き、並びに／あるいは他の情報をのうちの１つ以上を含む。
【００２７】
システム１０は、他のデバイスによって保持される他の光センサを含んでもよい。例えばシステム１０は、特定のユーザに関連付けられておらず、頻繁に訪問される場所に設置される、専用の固定の光測定デバイスを含み得る。これらのデバイスは、固定の光センサが暴露される環境光の量に関連する光暴露情報を伝達する出力信号を生成することができる。固定の光測定デバイスは、これらが設置されている位置についてのローカル光プロファイルデータベースを含んでもよい。別の例として、システム１０は、短距離無線技術（例えばRFID、NFC、BLE、Zigbee（登録商標））が装備されたデバイス内に組み込まれる光センサを含むか、かつ／又はこれらの光センサと通信することができ、時には、様々なアプリケーション（例えばチケット発行、非接触型支払い、アクセス制御等）のためにユーザのスマートフォンと通信することができる。これらのトランザクションの間に、ユーザのスマートフォンは、短距離無線が装備されたデバイスから現在の光暴露情報を取得することができる。
【００２８】
一部の実施形態において、本明細書で説明される光センサ（例えば一次光センサ１４のようにユーザによって装着される光センサ、二次光センサ１６のようにユーザに関連付けられるコンピューティングデバイスに含まれる光センサ、固定の光測定デバイス）は、アクティブピクセルセンサ、フォトレジスタ、光電池、光ダイオード、光電子増倍管、光トランジスタ、光検出器、カメラ及び／又は他のセンサのうちの１つ以上であるか、かつ／又はこれらの１つ以上を含み得る。
【００２９】
中央光プロファイルデータベース３０は、１人以上のユーザからの光暴露情報を格納するように構成される。中央光プロファイルデータベース３０は、１人以上のユーザについての時刻、日付、位置及び／又は他の情報とともに、光暴露データを経時的に格納するように構成され得る。一部の実施形態において、中央光プロファイルデータベース３０は、情報を格納するようプロセッサ２０によって制御され得る。中央光プロファイルデータベースは、（例えば）ユーザによって装着される光センサ（例えばセンサ１４）及び／又はユーザに関連付けられる光センサ（例えばセンサ１６）が覆われており、必要な情報を提供することができる他の覆われていない（例えば近くのユーザ及び／又は固定の位置に関連付けられる）光センサが存在しないときはいつでも、所与の位置についての典型的な光情報を取得するためにプロセッサ２０によって使用され得る。一部の実施形態において、中央光プロファイルデータベース３０は、複数のユーザから情報を収集するように構成されるサーバである。ユーザに関連付けられるデバイス（例えばスマートフォンであり得るデバイス１７）によって光プロファイルデータベース３０にクエリして、特定の時刻、日付及び／又は位置についての典型的な光プロファイルデータを取得することができる。これは、例えばデバイスが以前にその位置に訪問したことがない場合であっても、かつ／又は現在の光暴露情報を取得するために利用可能な（例えば覆われていない）他のウェアラブル及び／又は固定のデバイスが存在しない場合であっても、可能である。
【００３０】
プロセッサ２０は、１つ以上のコンピュータプログラムコンポーネントを実行するよう構成される。１つ以上のコンピュータプログラムコンポーネントは、暴露コンポーネント２２、制御コンポーネント２４及び／又は他のコンポーネントのうちの１つ以上を備え得る。プロセッサ２０は、ソフトウェア；ハードウェア；ファームウェア；ソフトウェア、ハードウェア及び／又はファームウェアの何らかの組合せ；及び／又はプロセッサ２０における処理能力を構成するための他の機構によって、コンポーネント２２、２４及び／又は他のコンポーネントを実行するよう構成され得る。
【００３１】
コンポーネント２２及び２４は、図１では、単一の処理ユニット内で同じ場所に配置されているように図示されているが、プロセッサ２０が複数の処理ユニットを備える実施形態では、コンポーネント２２、２４及び／又は他のコンポーネントの１つ以上が他のコンポーネントからリモートに配置されてもよい。コンポーネント２２及び／又は２４のいずれも、説明される機能よりも多くの又は少ない機能を提供してもよいので、以下で説明される異なるコンポーネント２２及び／又は２４により提供される機能の説明は例示の目的であり、限定するようには意図されていない。例えばコンポーネント２２及び／又は２４のうちの１つ以上を省略してもよく、その機能の一部又は全てが他のコンポーネント２２及び／又は２４によって提供されてもよい。別の例として、プロセッサ２０は、コンポーネント２２及び／又は２４のうちの１つの下に属する機能の一部又は全てを実行し得る１つ以上の追加のコンポーネントを実行するように構成されてもよい。
【００３２】
暴露コンポーネント２２は、一次光センサ１４、二次光センサ１６及び／又は他の光センサが、所与の時間に相当な環境光へ暴露されているかどうかを判断するように構成される。暴露コンポーネント２２は、光センサが所与の時間に相当な環境光へ暴露されているかどうかを、その所与の時間についての一次光暴露情報、二次光暴露情報及び／又は他の情報に基づいて判断するように構成される。一部の実施形態において、暴露コンポーネント２２は、参照によってその全体が本明細書に組み込まれる２０１２年１２月２０日に出願した「Light  Sensing  Device  For  Sensing  Ambient  Light  Intensity」という名称の米国仮特許出願第61/739,805号において説明される方法と同様及び／又は同じ方法により、所与の光センサが所与の時間に相当な環境光へ暴露されているかどうかを判断するように構成される。
【００３３】
暴露コンポーネント２２は、所与の時間の間に被検体によって経験される環境光の暴露量を決定するように構成される。暴露コンポーネント２２は、一次光暴露情報、二次光暴露情報及び／又は他の光暴露情報に基づいて、所与の時間の間に被検体によって経験される環境光の暴露量を決定するよう、制御コンポーネント２４によって制御される。所与の時間についての一次光暴露情報が、一次光センサ１４が相当な環境光へ暴露されていることを示す場合、制御コンポーネント２４は、所与の時間の間に被検体によって経験される環境光の暴露量を一次光暴露情報に基づいて決定するよう、暴露コンポーネント２２を制御する。この決定は、二次光暴露情報に関係なく行われる。所与の時間についての一次光暴露情報が、一次光センサ１４が相当な環境光へ暴露されていないことを示す場合、制御コンポーネント２４は、所与の時間の間に被検体によって経験される環境光の暴露量を二次光暴露情報に基づいて決定するよう、暴露コンポーネント２２を制御する。この決定は、一次光暴露情報に関係なく行われる。一次光暴露情報及び二次光暴露情報の双方が、一次光センサ１４及び二次光センサ１６が相当な環境光へ暴露されていないことを示す場合、制御コンポーネント２４は、所与の時間の間に被検体によって経験される環境光の暴露量を、上述のような固定センサ、他のユーザによって装着されるか、かつ／又は他のユーザに関連付けられるデバイスによって保持される近くのセンサ、並びに／あるいは他のセンサからの情報に基づいて決定するよう、暴露コンポーネント２２を制御する。
【００３４】
制御コンポーネント２４は、特定の光センサが所与の時間に相当な環境光へ暴露されているかどうかに基づいて、所与の時間の間に被検体によって経験される環境光の暴露量を決定するように、暴露コンポーネント２２を制御するよう構成される。所与の時間について被検体によって経験される環境光の暴露量を決定する際、制御コンポーネント２４は、暴露コンポーネント２２に、一次光センサ１４からの情報をデフォルトとして使用させるように構成される。一次光センサ１４が環境光へ暴露されていない場合、制御コンポーネント２４は、暴露コンポーネント２２に、二次光センサ１６からの情報を第２の選択肢として使用させるように構成される。二次光暴露情報が、二次光センサ１６が相当な環境光へ暴露されていないことを示す場合、制御コンポーネント２４は、暴露コンポーネント２２に、他のソースから所与の時間についての光暴露情報を取得させるように構成される。これらの他のソースは、他のユーザによって装着されるか、かつ／又は他のユーザに関連付けられる他のデバイスに組み込まれる光センサ、例えば都市の中の様々な場所に配置される固定の光センサ、光暴露情報データベース及び／又は他のソースを含み得る。
【００３５】
例えば（一次光センサ１４が相当な環境光へ暴露されていないことに加えて）所与の時間についての二次光暴露情報が、二次光センサ１６が相当な環境光へ暴露されていないことを示す場合、制御コンポーネント２４は、暴露コンポーネント２２に、光暴露情報データベースから、一次及び／又は二次光暴露情報内の日付、時刻又は地理的位置に対応する光暴露情報を取得させるように構成される。制御コンポーネント２４は、暴露コンポーネント２２に、被検体によって経験される環境光の暴露量を、データベースの光暴露情報に基づいて決定させることができる。
【００３６】
一部の実施形態において、所与の時間についての一次及び二次光暴露情報が、一次光センサ１４及び二次光センサ１６が相当な環境光へ暴露されていないことを示す場合、制御コンポーネント２４は、いずれの代替の光センサ情報を使用すべきかを、所与の時間の被検体の地理的位置、他のユーザによって装着されるか、かつ／又は他のユーザに関連付けられるデバイスによって保持される近くのセンサの位置、固定の光感知デバイスの位置、及び／又は他の情報に基づいて決定することができる。制御コンポーネント２４は、次に地理的に最も近い光センサ（例えばすぐ近くのユーザによって装着されるか、かつ／又は関連付けられるデバイスによって保持されるセンサ、すぐ近くの固定のデバイスによって保持されるセンサ）を決定し、暴露コンポーネント２２に、所与の時間の間に被検体によって経験される環境光の暴露量を、次に地理的に最も近い光センサからの情報に基づいて決定させるように構成され得る。一部の実施形態において、制御コンポーネント２４は、利用可能な地理的に近い光センサが存在しないと判断し、所与の時間の間に被検体によって経験される環境光の暴露量を、ローカル光プロファイルデータベース（例えば電子ストレージ３２）及び／又は中央光プロファイルデータベース３０内に格納された情報に基づいて決定することができる。
【００３７】
一部の実施形態において、制御コンポーネント２４は、一次光暴露情報、二次光暴露情報、所与の時間及び／又は日に被検体によって経験される環境光の暴露量、並びに／あるいは他の情報の電子ストレージを容易にするように構成される。制御コンポーネント２４は、電子ストレージ（例えばローカル光データベース）３２内、中央光プロファイルデータベース３０内及び／又は他の位置内における電子ストレージを容易にするように構成され得る。例えば制御コンポーネント２４は、所与の時間に被検体によって経験される環境光の暴露量の電子ストレージ３２内への電子ストレージを容易にすることができる。制御コンポーネントは、１人以上のユーザによって装着され、かつ／又は１人以上のユーザに関連付けられる光センサ（例えば一次光センサ１４、二次光センサ１６）、１人以上のユーザによって装着されず、かつ／又は１人以上のユーザに関連付けられない光センサ（例えば都市の中に配置される固定の光センサ）及び／又は他の光センサからの光暴露情報（例えば光の強さ、日付、時刻、地理的位置等を含む）の電子ストレージを容易にすることができる。
【００３８】
一部の実施形態において、制御コンポーネント２４は、所与の光センサからの出力信号が低い光レベルを示すが、他の近くのセンサがより高い光レベルを返す場合、制御コンポーネント２４が、所与の光センサは覆われているという結論を出して、暴露コンポーネント２２に、所与の時間について被検体によって経験される環境光の暴露量を他の近くのセンサからの情報に基づいて決定させるように構成される。
【００３９】
図２は、システム１０の１つの可能性のある実施形態を図示している。被検体は、１つ以上のデバイス１５を装着する。１つ以上のデバイス１７が、被検体に関連付けられ得る。第２のユーザは、第２のウェアラブルデバイス２００を装着し、デバイス２０２に関連付けられる。図２では、ユーザごとに、１つのウェアラブルデバイス１５、２００及び１つの関連デバイス１７、２０２が図示されているが、これは限定するよう意図されていない。個々のユーザが、幾つかのデバイスを装着し、かつ／又は幾つかのデバイスに関連付けられてもよい。ユーザの数は２人に限定されない。システム１０は、任意の数のユーザと、その装着及び／又は関連デバイスを含んでよい。個々のデバイスは、互いに、及び／又は中央光プロファイルデータベース３０と通信するように構成され得る。
【００４０】
デバイス１５、１７、２００、２０２は、光センサ１４、１６、２０４、２０６と、相互間の通信、データ交換及び／又は他のアクションを容易にするよう構成される無線通信技術を含む。一部の実施形態では、デバイス１５、２００は、比較的短い距離（例えば数メートル）にわたる通信を容易にする短距離無線技術（例えばBluetooth（登録商標）、ZigBee（登録商標）等）を用いることができる。デバイス１７、２０２（例えばスマートフォン）は、これらの無線通信技術を含んでよく、かつ／又は例えば数１０メートル及び／又は数１００メートルにわたる通信を容易にする中距離無線技術（例えばWi-Fi）を介して通信するように構成されてもよい。一部の実施形態では、デバイス１７、２０２は、例えば任意の地理的位置におけるインターネットへの接続を容易にする、長距離のセルラ無線及び／又は他の技術（例えばGSM（登録商標）、UMTS等）を介して通信するように構成されてもよい。
【００４１】
一部の実施形態において、デバイス１５、２００は、デバイス１７、２０２の感知及び／又は処理能力と同様及び／又は同じ感知及び／又は処理能力を含み得るが、これらのデバイスに関連するメモリストレージ容量に制限されることがある。デバイス１７、２０２（例えばスマートフォン及び／又は同様のデバイス）は、大量のデータを格納する能力を有し、図２に図示されるようにローカル光プロファイルデータベース３２、２０８を含むことができる。上述のように、デバイス１７、２０２は、地理的位置に関連する出力信号を生成するように構成される１つ以上のセンサ１９、２１０を含む。この位置情報は、上述のように光暴露情報に含まれ得る。位置情報は、プロセッサ２０によって、被検体によって経験される環境光の暴露量を決定するのに使用され（例えば位置情報は、対応する光暴露情報をデータベースから取り出すのに使用され得る）、ローカル光プロファイルデータベース３２、２０８に格納され、中央光プロファイルデータベースに格納され、かつ／又は他の目的に使用され得る。一部の実施形態において、デバイス１５、２００は、地理的位置に関連する出力信号を生成するように構成される１つ以上のセンサ（図示せず）を含んでもよい。例えばデバイス１５、２００は、GPS位置センサを含むフィットネスデバイスであるか、かつ／又はこれを含むことができる。
【００４２】
図３は、システム１０を説明するフローチャートを図示している。図３に図示される例では、プロセッサ２０（図示せず）がデバイス１５内に含まれる。これは限定するように意図されていない。上述のように、プロセッサ２０は、デバイス１７に含まれてもよく、デバイス１５及び／又は１７に部分的に含まれてもよく、かつ／又はシステム１０の他のコンポーネントに含まれてもよい。
【００４３】
デバイス１５の一次光センサ１４は、この一次光センサが暴露される環境光の量に関連する一次光暴露情報を伝達する出力信号を生成することができる。所与の時間３００に、プロセッサ２０（図示せず）は、センサ１４が環境光へ暴露されているかどうかを判断することができる（３０２）。光センサ１４が覆われておらず、（例えば）環境照度（ambient  illuminance）の値（Ｉ）を返した場合（３０４）、この値は、更なる処理のためにローカルメモリ（例えば電子ストレージ３２）内に格納され（３０６、３０７）、システム１０は、環境光の暴露を決定するよう次の所与の時間を待つ。光センサ１４が覆われており、環境照度の値（Ｉ）を返さなかった場合（３０８）、プロセッサ２０は、（例えば）短距離無線通信を介して、被検体によって装着されるか、かつ／又は被検体に関連付けられる他のデバイス１７から光暴露情報を無線で取得する（３１０）。例えばデバイス１７が周囲照明へ暴露されなかったために、光暴露を示す情報が得られない場合、プロセッサ２０は、異なるユーザによって装着されるか、かつ／又は異なるユーザに関連付けられるデバイスに含まれる光センサから、光暴露情報を取得する（３１２）。一部の実施形態において、プロセッサ２０は、同時に届く範囲内の実質的に全てのデバイスから光暴露情報を取得してもよく（３１２）、かつ／又は最初にデバイスについて検索し、次いで被検体に対する個々のデバイスの近接性に基づいて順番に光暴露情報を取得してもよい。受け取った情報（３２０）は、更なる処理のためにローカルメモリ内に格納され（３２２）、システム１０は、環境光の暴露を決定するよう次の所与の時間を待つ。光暴露を示す情報を受け取らなかった場合、処理は繰り返す（３３０）。
【００４４】
一部の実施形態において、光暴露情報を取得することは、他のデバイスからの光暴露情報を要求することを含む。一部の実施形態では、光センサを含む他のデバイスは、周期的なブロードキャストメッセージを介して光暴露情報を送信することができる（例えばプロセッサ２０は、その情報を要求せず、代わりに光暴露情報を通信する近くデバイスのブロードメッセージを受け取る）。
【００４５】
図４は、システム１０を説明する第２のフローチャートである。図４に図示される例では、プロセッサ２０（図示せず）がデバイス１７内に含まれる。これは限定するように意図されていない。上述のように、プロセッサ２０は、デバイス１７に含まれてもよく、デバイス１５に含まれてもよく、デバイス１５及び／又は１７に部分的に含まれてもよく、かつ／又はシステム１０の他のコンポーネントに含まれてもよい。
【００４６】
図４に図示されるように、所与の時間４００に、プロセッサ２０は、センサ１９からの出力信号４０４に基づいて、位置情報（Ｌ）を決定することができる（４０２）。この情報は、GPS座標のような絶対位置情報、並びに／あるいは建物内の部屋番号及び／又はセルラネットワークのセル識別子のような相対位置情報を含むことができる。位置情報は、後のステップにおいて、光プロファイルデータベースに被検体の現在の位置に対応する光暴露情報を要求し、かつ／又はこれらのデータベースを光センサ（例えばセンサ１６）によって生成された光暴露情報で更新するのに使用され得る。
【００４７】
プロセッサ２０は、センサ１６が環境光へ暴露されているかどうかを判断することができる（４０６）。光センサ１６が覆われておらず、（例えば）環境照度の値（Ｉ）を返した場合（４０８）、この値は、ローカルメモリ（例えば電子ストレージ／ローカル光プロファイルデータベース３２）及び／又は中央光データベース（例えば中央光プロファイルデータベース３０）内に格納され（４１０）、デバイスは、光暴露情報を取得するために次の所与の時間を待つ。光センサ１６が覆われており、環境照度の値（Ｉ）を返さなかった場合（４１２）、プロセッサ２０は、（例えば）短距離無線通信を介して、被検体によって装着されるか、かつ／又は被検体に関連付けられる他のデバイス（例えばセンサ１４を含むデバイス１５）から光暴露情報を無線で取得するか（４１４）、かつ／又はこれらのデバイスからの光暴露情報に基づいて、所与の時間について被検体によって経験される環境光の暴露量を決定する。被検体によって装着されるか、かつ／又は被検体に関連付けられるデバイスが環境光へ暴露されていない場合、プロセッサ２０は、（例えば）短距離無線通信を介して、異なるユーザのデバイス２００、２０２から光暴露情報を無線で取得するか（４１６）、かつ／又はこれらのデバイスからの光暴露情報に基づいて、所与の時間について被検体によって経験される環境光の暴露量を決定する。先行するステップ４０６、４０８、４１２、４１４、４１６において光暴露情報が得られない場合、プロセッサ２０は、異なるユーザの光感知デバイス４５０から、例えばWi-Fiのような中距離無線技術を使用して光暴露情報を無線で取得するか（４１８）、これらのデバイスからの光暴露情報に基づいて、所与の時間について被検体によって経験される環境光の暴露量を決定する。
【００４８】
所与のセンサが環境光へ暴露されていることを光暴露情報が示す場合、及び／又は所与の時間について被検体によって経験される環境光の暴露量が上記のステップのうちの１つ以上の間に決定される場合、ローカル光データベース及び／又は中央光データベースが、被検体によって経験される環境光の暴露量、位置（Ｌ）、照度（Ｉ）、時刻（ｔ）、日付及び／又は他の光暴露情報で更新される（４１０）。情報は、例えば長距離無線通信を介して中央光プロファイルデータベース３０へアップロードされてもよい。一部の実施形態において、センサから取得される光暴露情報は、格納する前に、他の光暴露情報を用いて処理される必要があり得る。例えばセンサから取得される光暴露情報を、光センサからの以前に決定された情報に基づいて補間及び／又は平均化する必要があり得る。
【００４９】
上記のステップ４０６、４０８、４１２、４１４、４１６、４１８の結果のいずれにおいても、現在の光の照度（Ｉ）及び／又は所与のセンサが環境光へ暴露されていることを示す他の情報を取得しなかった場合、プロセッサ２０は、現在の位置（Ｌ）、日付及び／又は現在の時刻（ｔ）について格納されている照度レベルを求めて、ローカル光データベース（例えば電子ストレージ３２）を検索する（４５２）。日付及び／又は現在の時刻は、取得した情報が被検体の位置、現在の時刻、日付及び／又は年を表すか、かつ／又はこれらに対応するような光暴露情報を検索するために必要とされ得る。（例えばローカル光プロファイルデータベースが、その位置、日付、時刻等に対応する情報を含んでいないために）ローカル光プロファイルデータベースから光暴露情報を取得することができなかった場合、プロセッサ２０は、例えば長距離無線ネットワーク（例えばGSM（登録商標）、UMTS等）を介して中央光プロファイルデータベース３０へ通信し（４５４）、現在の位置（Ｌ）について格納されているか、かつ／又は現在の時刻及び／又は日付を表す照度レベルを取得する（４５６）。照度値（Ｉ）がデータベースから取り出されると（例えばステップ４５２〜４５６）、この値は、現在の環境光レベルの近似値として使用され、他の光暴露情報とともに格納される（４１０）。
【００５０】
図５は、光感知システムを用いて、被検体によって経験される環境光の露光の量を決定する方法５００を例示する。システムは、一次光センサ、二次光センサ、１つ以上の物理的なコンピュータプロセッサ及び／又は他のコンポーネントを備える。以下で提示される方法５００の動作は、例示であるように意図される。一部の実施形態において、方法５００は、説明されない１つ以上の動作とともに達成されることがあり、かつ／又は議論される動作の１つ以上を伴わずに達成されることもある。加えて、図５で図示され、以下で説明される方法５００の動作の順序は、限定するように意図されていない。
【００５１】
一部の実施形態において、方法５００は、１つ以上の処理デバイス（例えばデジタルプロセッサ、アナログプロセッサ、情報を処理するように設計されるデジタル回路、情報を処理するように設計されるアナログ回路、状態マシン及び／又は情報を電子的に処理するための他の機構）において実装され得る。１つ以上の処理デバイスは、電子記憶媒体に電子的に格納される命令に応答して、方法５００の動作の一部又は全てを実行する１つ以上のデバイスを含み得る。１つ以上の処理デバイスは、方法５００の動作の１つ以上の実行のために特別に設計されるハードウェア、ファームウェア及び／又はソフトウェアを通して構成される１つ以上のデバイスを含み得る。
【００５２】
動作５０２において、一次光センサが、被検体によって装着される第１のデバイスによって保持される。一部の実施形態において、一次光センサは、被検体によって装着されるリストバンド、イヤフォン、識別バッジ、ジュエリー、ボタン、ヘアバンド、眼鏡、ブレスレット、ベルト、付け爪、ピン、ピアス、ネクタイ又はクリップのうちの１つ以上によって保持される。一部の実施形態において、動作５０２は、（図１に示され、本明細書に説明される）デバイス１５と同じ又は同様のデバイスによって実行される。
【００５３】
動作５０４において、一次光暴露情報を伝達する出力信号が生成され得る。一次光暴露情報は、一次光センサが暴露される環境光の量に関連する。一部の実施形態において、動作５０４は、（図１に示され、本明細書に説明される）一次光センサ１４と同じ又は同様の一次光センサによって実行される。
【００５４】
動作５０６において、二次光センサが第２のデバイスによって保持される。第２のデバイスは、第１のデバイスとは物理的に別個であり、接続されていない。第２のデバイスは、被検体に関連付けられ得る。一部の実施形態において、第２のデバイスは被検体に関連付けられるスマートフォンである。一部の実施形態において、動作５０６は、（図１に示され、本明細書に説明される）デバイス１７と同じ又は同様のデバイスによって実行される。
【００５５】
動作５０８において、二次光暴露情報を伝達する出力信号が生成され得る。二次光暴露情報は、二次光センサが暴露される環境光の量に関連する。一部の実施形態において、二次（及び／又は一次）光暴露情報は、照度、環境光のスペクトル、環境光の強さ、日付、時刻、被検体の地理的位置及び／又は他の情報のうちの１つ以上を含む。一部の実施形態において、動作５０８は、（図１に示され、本明細書に説明される）二次光センサ１６と同じ又は同様の二次光センサによって実行される。
【００５６】
動作５１０において、一次光センサが相当な環境光へ暴露されている場合、被検体によって経験される所与の時間についての環境光の暴露量が、所与の時間についての一次光暴露情報に基づいて決定される。一部の実施形態において、動作５１０は、（図１に示され、本明細書に説明される）暴露コンポーネント２２及び／又は制御コンポーネント２４と同じ又は同様の物理的なコンピュータプロセッサコンポーネントによって実行される。
【００５７】
動作５１２において、一次光センサが環境光へ暴露されておらず、二次光センサが暴露されている場合、被検体によって経験される所与の時間についての環境光の暴露量が、二次光暴露情報に基づいて決定される。一部の実施形態において、動作５１２は、（図１に示され、本明細書に説明される）暴露コンポーネント２２及び／又は制御コンポーネント２４と同じ又は同様の物理的なコンピュータプロセッサコンポーネントによって実行される。
【００５８】
一次及び二次光センサの説明は、限定するように意図されていない。システムは、本明細書で説明されるような１つ以上の追加の光センサ及び／又は光暴露情報データベースから情報を取得するように構成され得る。例えばシステムは、１人以上のユーザからの光暴露情報を格納するように構成される光暴露情報データベースを備え得る。所与の時間についての二次（及び／又は三次等）光暴露情報が、二次光センサが相当な環境光へ暴露されていないことを示す場合、システムは、一次及び／又は二次光暴露情報内の日付、時刻又は地理的位置に対応する光暴露情報をデータベースから取得することができる。システムは、被検体によって経験される環境光の暴露量をデータベースの光暴露情報に基づいて決定することができる。
【００５９】
特許請求の範囲において、括弧内に配置される全ての参照符号は、請求項を限定するものとして解釈されないものとする。「備える」又は「含む」という用語は、請求項内に列挙されるもの以外の要素又はステップの存在を除外しない。幾つかの手段を列挙するデバイスの請求項において、これらの手段の幾つかは、ハードウェアの１つ及び同じアイテムによって具現化されてよい。要素に先行する「a」、「an」という用語は、そのような要素の複数の存在を除外しない。幾つかの手段を列挙する任意のデバイスの請求項において、これらの手段の幾つかが、ハードウェアの１つ及び同じアイテムによって具現化されてよい。特定の要素が相互に異なる従属請求項に記載されるという単なる事実は、これらの要素を組合せで使用することができないことを示唆するものではない。
【００６０】
上述の説明は、最も実践的かつ好適な実施形態であると現在考えられるものに基づいて、説明の目的で詳細を提供しているが、そのような詳細は、単にその目的のためであり、明示的に開示される実施形態に限定するようには意図されておらず、反対に、添付の特許請求の範囲の精神及び範囲内にある修正及び均等な構成を網羅するように意図されていることが理解されよう。例えば本発明は、可能な限り、任意の実施形態の１つ以上の特徴を、任意の他の実施形態の１つ以上の特徴と組み合わせることができると考えることが理解されよう。
【図１】
0006435344.tif 000002
【図２】
0006435344.tif 000003
【図３】
0006435344.tif 000004
【図４−Ｉ】
0006435344.tif 000005
【図４−ＩＩ】
0006435344.tif 000006
【図５】
0006435344.tif 000007